(57)【要約】【課題】  蚊に刺されるとアレルギー反応により皮膚は腫れて耐え難い痒みに悩まされる。抗アレルギー薬も数多く市販されているが、効果が出るまでに相当の時間を要し、その間に爪で皮膚を掻く事による傷の炎症で皮膚が醜くなる。痒みは痛みよりきつい苦痛とも言える。  人類の歴史とともに、世界中の人々がたかが蚊の一刺しによる痒みに悩まされている。  また、生体活性化の容易で合理的な手段も求められている。【解決手段】  人間の生活環境が綺麗になると共にアレルギー疾患が増大していると言う事実に注目する。そして、乳酸菌や回虫などの体内異物のにより花粉症などのアレルギー反応が抑制されるということも解明されている。これを生体の免疫システムの特殊性としてとらえ、アレルギー疾患部に、これらの体内異物の代わりに熱刺激を与えることによりアレルギー反応を抑制し、生体活性化の手段とすることに成功した。【選択図】図１
2016101467.tif 000002
【特許請求の範囲】
【請求項１】
熱源として１０Ｗ以下の電気ヒーターを用い、その熱源は片手の指で持てる大きさの外囲器により固定されて内蔵され、熱源の電気ヒーターを直接あるいは間接に皮膚患部に当てる部分の温度は４３℃以上で、１００℃以下であることを特徴とする皮膚電熱器。
【請求項２】
電源と熱源の電気ヒータの間に半導体スイッチを接続し、この半導体スイッチにマイコンを接続し、電気ヒータの電源を３秒から６０秒内の周期で断続して、発熱と冷却を繰返すことを特徴とする皮膚電熱器。
【請求項３】
熱源の電気ヒータは電球のフィラメントであることを特徴とする「請求項１」あるいは「請求項２」記載の皮膚電熱器。
【請求項４】
熱源である電球の光照射前面部のガラスが着色されるか、或いはこの部分が塗装されるか、或いはこの部分に着色された樹脂キャップを被せてることを特徴とする「請求項３」記載の皮膚電熱器。
【請求項５】
電気ヒータの電源を、乾電池、或いは携帯電話充電用を含むＡＣアダプター、或いは自動車のシガレット用電源アダプター、あるいはパソコンのＵＳＢコネクターから取ることを特徴とする「請求項１」あるいは「請求項２」記載の皮膚電熱器。
【発明の詳細な説明】
【技術分野】
【０００１】  本発明は、電気ヒーターを用いて、皮膚疾患の症状を治療ないしは緩和したり、人体の生体反応を活性化する健康器具に関するものである。
【背景技術】
【０００２】  蚊に刺されると生体のアレルギー反応により皮膚は腫れて相当な痒みに悩まされるものである。そして、痒みの為に人は皮膚を爪で掻くのが常である。そうすると、皮膚は損傷され炎症を起こし、痒みが引いた後も皮膚には赤い炎症の痕が残ったり、ひどい場合には膿んだりして数ヶ月も痕跡が残り、肌は醜くなる場合もあった。
このような、蚊に刺されると言う日常的な事柄に対して、現在は抗ヒスタミン剤などの薬による対処が一般的であり、その他の効果的な対処方法は発明されてこなかった。
また、東洋医学ではツボを刺激することにより生体活性化効果を促す処方が有り、これは指圧・針・灸を手段としている。
【発明の概要】
【発明が解決しようとする課題】
【０００３】  蚊に刺されて、抗アレルギー薬を処方しても、その効果が出るまでに１０分程度以上の時間を必要とした。その間は痒みに耐えることが必要であったり、どうしても皮膚を掻きむしってしまい、それが原因で、夏になると手足によらず顔にまで炎症の痕が出来て秋から冬にまで悩まされてきた。
本発明は、蚊に刺された時に、応答の遅い薬を用いることなく、簡単な対処をすることにより直ちに皮膚の痒みと腫れが引けるような安価で、ハンディータイプの小型で、普及が容易な抗アレルギー機器を提供すること、また、指圧・針・灸の東洋医学の手段をもう少し簡便で合理的なものとして提供することを課題とする。
【課題を解決するための手段】
【０００４】  課題を解決する為に、本発明者は痒みや腫れが生じるアレルギー反応について、そのメカニズムの解明の学問的成果に永らく注目してきた。
そして、生体内の肥満細胞がヒスタミンを放出してアレルギー反応が始まるという一種の免疫システムを勉強した。しかし、薬の抗ヒスタミン剤を超える対処方法はなかなか見出すことが出来ずにいた。
しかし、この生体のミクロの世界を離れてみると、現代社会には蚊に刺される時だけでなく、様々なアレルギーが多発するようになってきたという社会現象があることに新たに注目した。  そして、この歴史的要因は医学的にも少しづつ解明されてきたのである。
戦後の日本人には回虫が多く寄生していた。そして、衛生環境は総じて好ましいものではなかった。その時代には現代病の一つである花粉症アレルギーは存在しなかったという事実と、回虫を飲んでも、あるいは乳酸菌を飲んでも花粉症のアレルギー症状は緩和されるという報告が多く為されるようになったことに発明者は強く注目した。
その結果、生体の免疫システムから見ると、適度な外敵が体内にいて、それと正常に闘う限りにおいては、花粉などに対して過大なアレルギー反応は生じないという事実は、課題解決のための大きなヒントとなった。【０００５】  発明者は、このような事実に踏まえれば、免疫システムには、生体に無害である適度な刺激を外敵と錯覚させることが出来れば、蚊に刺された時などに、過大なアレルギー反応を抑制できると確信するに至った。
蚊に刺された時の分析をさらに進めてみると、人は皮膚が腫れて痒くなると爪で引っかく。これも良く考えてみると痛みを伴う位に掻くので、この刺激は、通常時の免疫システムにとっては立派な外敵となっていると推論できる。このように人々は昔から痒い箇所を掻くという行為によって無意識にアレルギー反応をある程度は抑制してきたと思われる。
そこで発明者は、こうして生体に対する適度な刺激として、熱を用いることを考えついた。熱は適度な温度範囲であれば、熱いという警告を受けるのみで加熱の事後にはなにも障害を発生しないからである。
この火傷をしない程度の適度な熱刺激を、蚊に刺されてアレルギー反応を始めて痒くなり、腫れた部分の皮膚に与えて、蚊の毒に対して過剰に反応している免疫システムの矛先をかわすことが出来るのではないかと発明者は考えるに至った。【０００６】  皮膚に熱を与えるのには様々な方法が考えられる。この場合、熱刺激とならないような低温では駄目で少なくとも４３℃以上の加熱が必要である。４３℃はたんぱく質が凝固を始める温度で熱いという刺激を生体に与え、短時間ならそれ以上の温度でも火傷はしない。
熱水や水蒸気はたとえ温度が低くても、熱容量が大きすぎて皮膚に深刻な火傷ををもたらす恐れがあるから熱源に用いるのは適当ではない。物を燃焼させて得る火力を用いるものは温度が高すぎて瞬間に火傷をすることが危惧される。生石灰に水を加えるような化学反応を用いるのは機器の構造が複雑になったり繰返し使用するには前後の処理が煩雑になってしまう。
そうなると、一番扱いやすい熱源はニクロム線などを用いた電気ヒータになる。本発明では電気ヒーターによる皮膚の加熱を皮膚電熱と呼ぶことにする。しかし、ニクロム線そのものを皮膚に直接当てることは温度制御などの面から容易では無い。そこで、真っ先に想起される過熱の方法はヘアードライアの様に熱風を皮膚に当てるものになる。
但し、熱風は空気を加熱する間接方式であるので、数１０Ｗ以上の電力を必要とし、送風ファンの回転制御も含めて構造も複雑で大型になってしまう。【０００７】  本発明では、ハンディータイプの小型機器の開発を課題とする。そこで、熱源として、小型で１０Ｗ以下の小電力で、電源投入の約３０〜５０秒後には表面温度が８０℃程度の適当な温度にすることが出来る自動車用の小型電球が最適であることを見出した。この表面温度が１００℃を超えると火傷の危険性が高まるので好ましくない。
この小型電球は熱容量も少なくて応答が速く、その明かりにより動作状況を簡単に目視できるので、慎重に皮膚を加熱するには最適である。本発明では、このような電球を指で持てるような小型の外囲器に固定して、電源を供給するという手段を用いる。
なお、電球の光照射前面部にはシリコーン製等の樹脂キャップなどを被せれば、皮膚の加熱は穏やかに行うことが出来る。
もちろん、電球以外の電気ヒーターもニクロム線等と皮膚間に温度を緩和する材料を介在させれば良いことは明らかである。
一方、電気ヒーターの発熱をマイコンで制御する方式も同時に考案した。半導体スイッチでパルス状に制御するもので、上記のような熱源の電力の制約からはかなり自由になり、心地よさをも加えることが出来る。
このような皮膚電熱は局所的に皮膚に熱刺激を与えるものであるので、そのまま東洋医学的な刺激手段に応用する。
【発明の効果】
【０００８】  本発明による小型で簡単な機器によって、蚊に刺された時の痒みや腫れのアレルギー反応を速やかに消滅させることが出来る。痒みの場所を爪で掻くことがなくなるので、皮膚に炎症の痕を残さないで皮膚を綺麗に保つことが出来る。そして、小電力であるので、必ずしも家屋内の交流電源を用いる必要はなく、乾電池などを用いて、アウトドア用品として蚊に刺された時の対処が簡単に出来るようになる。
この発明の抗アレルギーの原理は、蚊に刺された時に限らないので、他の蜂や毒虫対策などにも応用できそうである。
また、発明者はアダルトニキビにこの本発明を適用することにより、そこからの加齢臭の発散を止め、脂肪の塊そのものを消滅させたことも確認している。さらに、その他の東洋医学の生体刺激効果を心地よく容易に得られるようになる。
【図面の簡単な説明】
【０００９】
【図１】  本発明の構造を説明する概念的断面図
【発明を実施するための形態】
【０００１０】  本発明による皮膚電熱器を図１を用いて説明する。図１は本発明の構造を説明する概念的断面図で、１は電球で、真空ないしはガス封じのガラス管内にフィラメント２を持っている。３は電球を固定し本発明の機器の外囲器となる。この外囲器３は指先に持てるほどの小型で、金属よりは熱伝導率が低い樹脂などで作られ、指先が熱くなることを防止している。そして、電球１の熱源は一般的にはヒーターとして概念を拡大することも可能である。ここでは電球の場合で説明する。
７は電球の光照射前面部で、赤色等に着色したガラスか、或いはこの部分が赤色等に着色されるか、或いは赤色等に着色された樹脂キャップを被せて、フィラメント２で発光する光の量を減光する構造になっている。この方法により、電球の眩しさを無くし、加熱状況が目視出来て操作を容易にしている。また、シリコーン等の樹脂は熱伝導率がガラスより小さいので、皮膚に対する加熱が穏やかになるという効果がある。
この電球の光照射前面部７を蚊に刺されて腫れている箇所等に当てて火傷をしない程度に熱い熱刺激を皮膚に与える。こうして、アレルギー反応等を抑制し、患部を治すことが出来る。４は電球に電源を供給するタイミングを決めるスイッチで、６は外部電源の導入部、５はそれらを接続する外囲器内配線である。外部電源は安全性を考えるとＡＣ１００Ｖより低電圧が好ましい。
本器を使用する頻度と消費電力を考えると、外部電源方式とせずに乾電池を外囲器３に内蔵させることも充分に可能である。
【００１１】  スイッチ４を押すと同時に、電球１の光照射前面部７を蚊に刺されて腫れている患部に約３０秒ほど軽くあてがうと、その患部は程よく痛みを伴うような熱さを感じるようになる。そしたらスイッチ４を離して電球１の電源をオフにする。熱さを感じるには応答の遅れがあるので、このような操作を通じて、火傷をしない熱刺激の加減を習得できる。
電球１の消費電力は光照射前面部７が皮膚を熱刺激となる４３℃以上に加熱するのに必要な大きさが必要であるとともに、焼けどを防止する為に、約３０秒以上の単純な連続点灯後でも表面温度は１００℃以上に上昇しない程度の上限を設ける必要がある。この為に、熱源としては、使用電圧で１０Ｗ以下となる電球とする。
１０Ｗ以下の電球であっても、フィラメント温度は数１００℃を超えているので、フィラメントと皮膚間には温度を下げる物質が介在しなければならない。電球の場合にはガラス管やキャップなどがそれら相当する。熱源の電力の大きさを勘案して、この介在する材料の熱伝導率とサイズによって決まる熱伝道度により、電球の光照射前面部７が１００℃を超えないようにする。
【００１２】  例えば、５Ｗ発熱の電球を熱源として、電球の光照射前面部７の温度を赤外線表面温度計で表面温度を測定してみる。この温度が１００℃を超えるようであれば、電球の電力を小さくするか、電球に被せるキャップ等の介在物の厚さを大きくすることで、皮膚患部に当てる部分の温度は４３℃以上で、１００℃以下であるようにする技術問題は解決する。
電球の表面温度は最高でせいぜい７０℃程度が好ましいが、熱源に小型電球を用いる場合は、その熱容量が小さいので、この温度の表面部分に体温３５℃程度の皮膚を当てると、皮膚温度は上昇するものの、電球の表面温度は急速に下がるので火傷することなく手当てすることが可能となるのである。
本発明では、電球表面を皮膚に当てた後にスイッチ４を押すという手順を推奨することになるので、約２０秒後には皮膚温度が４３℃を超え、暫くすると痛いほど熱くなるので、この時点でスイッチ４をオフにするか、本器を皮膚から離す。従って、実際には電球表面温度は１００℃より冷却されている場合が多い。
また、患部が電球表面より大きい場合には、スイッチ４は連続に押したまま電球１を当てる位置を移動しながら、この熱刺激を患部全体に数回繰返す。
蚊に刺されて、免疫反応によるアレルギー反応を起こして痒くなって腫れている患部は、この熱による刺激を新たな外敵として認識し、蚊の毒に対する反応の方は終息させてしまうと理解されるのであるが、こうしてこの操作の直後に痒みは消えてしまうこと、腫れも知らない間に無くなっていることを発明者は事実をもって無数に確認している。
また、アダルトニキビも、これと同様な方法で本器により消滅させ、永年悩んでいたその部分の特殊加齢臭も消えたことには驚いている。頭痛も治ったという報告も有った。
この熱源に供給する電源と熱源の間に、スイッチの代わりに半導体スイッチを接続し、これをマイコンで制御する。こうすると、熱源の電力の制約からはかなり自由になる。制御するパルス幅を変えれば熱源の温度を変えられるので、この温度を波状に変化させると火傷対策になるばかりか、心地よさも加わって東洋医学的使用方法に幅が出来ることになる。熱源としては電球に限らずに、電気ヒーターならば様々な種類のものでも可能であることも明白である。
【実施例１】
【００１３】  次に、具体的な実施例について説明する。電球１は自動車用の各種表示用に用いられるウェッジベース電球で１２Ｖ・３．４Ｗのもの（スタンレー製ＷＢ１２５）を用いる。電源としては１２Ｖ出力のＡＣアダプター、ないしは自動車のバッテリーから供給するシガレットアダプターを用いる。
電球の光照射前面部７には赤色の小型電球用カラーキャップ（日星工業）を被せる。外囲器３は樹脂製でスイッチ４は押しボタン式のタクトスイッチを用いる。
室温２８℃で実測したデータを次に示す。電球１を皮膚に当てない状態で、約３分の連続点灯で電球１の表面温度は７６℃でほとんど平衡温度になった。これを皮膚表面に当てると相当に熱いけれども、ほとんど１秒以下で皮膚から離してしまうことになり、この短時間の熱刺激の数回の実施でもアレルギー反応を抑制する効果が確認出来た。
しかし、実際に推奨する穏やかな実施の方法では、スイッチ４を押すと同時に電球の光照射前面部７を皮膚の患部に当てるようにする。約３０秒程度皮膚に押し当てていると患部がとても熱く感じられるようになるので、スイッチ４をオフにするか、本器を皮膚から離す。このような操作を数回繰返すことにより、痒みがこの操作の直後から消えて、腫れがなくなるというアレルギー反応抑制の効果を明確に確認することが出来た。【００１４】  痒みというアレルギー反応を抑制するのに、熱という外敵刺激により免疫反応の矛先をそらせるという、本発明のこの技術性を適用するものであるなら、具体的実施方法は様々に変更して具体化することが出来る。
例えば、熱源は電球以外にも各種小型ヒータや熱を発生する各種電気部品が応用できる。電球は３．４Ｗ以上のものでも、電球の光照射前面部７に熱伝導度の低いものを被せれば火傷をしないように出来る。
さらに、熱源を遠赤外線を発生するセラミックのような材料でコートすれば、熱刺激は皮膚表面にとどまらずに、体内深部にまで到達させることが出来る。この場合には、東洋医学の鍼灸と同様に生体を活性化させることも出来る。
ただし、蚊に刺された場合のアレルギー反応は皮膚表面から開始するもので、特別に遠赤外線による効果は認められない。
【実施例２】
【００１５】  次に、電源として乾電池を用いた例を図２を用いて説明する。図２は本発明による製品を概念的に正面図と側面図を用いて示しており、電源は乾電池と５ＶのＡＣアダプターをスイッチで切り替えて使用できるようにしてある。この切替スイッチとＡＣアダプターは図２には示していない。電球１はウェッジベース電球で、１２Ｖ・１０Ｗのものを用いる。また、乾電池は単３乾電池を３個を用いる。電球１は単３乾電池３本の４．５Ｖで０．４７Ａが測定されたので２．１Ｗの発熱となる。５ＶのＡＣアダプターを用いた場合は約２．５Ｗであった。
これで電球１を皮膚に押し当てて電源を投入して、約４０秒経過すると熱く感じるようになった。あとは「実施例１」の場合と同様である。
乾電池式であれば屋外で使用しやすくなるので便利である。これも、ブヨに刺されて約１時間後に使用したところ痒みは直ちに引くことが確認できた。
【実施例３】
【００１６】  図１の電源と電球１の間のスイッチ４の代わりに、半導体スイッチを接続する。この半導体スイッチとスイッチ４はマイコンに接続する。マイコンはスイッチ４の信号を受けて半導体スイッチ４を制御して、電球など電気ヒーターの電源をオンにしたりオフにしたりする。
例えば、スイッチ４が押されている時間をマイコンは計測して、電球４をその時間点灯させ、一定時間の消灯の後にそれを繰返させる。そうすると、電球は熱くなったり冷えたりの繰返しを波状に繰返して、皮膚は心地よく熱刺激を受けることが出来るようになる。
この繰返しの１サイクル周期は、熱源の温度上昇の遅れ時間と、皮膚の熱感の時間遅れを考慮して、心地よく感じる時間として３秒から６０秒内が適当であることも見出した。
スイッチ４を例えば素早く２度押しすれば、この皮膚電熱は終了することに出来る。
また、マイコンは半導体スイッチを高速でパルス幅制御することにより、電球１の温度をより心地よいものにすることも出来る。
これは図１の場合に限らずに、図２の乾電池を使用した場合も同様である。
【産業上の利用可能性】
【００１７】  本発明は蚊などの毒虫に刺された場合の効果的な対処を可能とする新しい機器を世の中に提供するものである。また、この熱による各種のアレルギー反応抑制の効果が一般に認知されるようなると、アレルギーが蔓延している現代社会に生体に優しい新しい治療法として確立されることを願うものである。また、ツボの刺激による東洋医学の新しい手段を提供することにもなる。
【符号の説明】
【００１８】  １    電球
２    フィラメント
３    外囲器
４    スイッチ
５    接続配線
６    電源導入部
７    電球の光照射前面部
【図１】
2016101467.tif 000003
【図２】
2016101467.tif 000004
【手続補正書】
【提出日】平成27年1月15日(2015.1.15)
【手続補正２】
【補正対象書類名】明細書
【補正対象項目名】０００９
【補正方法】変更
【補正の内容】
【０００９】
【図１】  本発明の構造を説明する概念的断面図
【図２】  乾電池使用も可能とした場合の概念的正面図及び側面図。